(57)【要約】【課題】定電流電源装置の電源投入時の誤報知を防止できる標識灯点灯装置を提供する。【解決手段】標識灯点灯装置12は、第１の絶縁トランス17、第２の絶縁トランス18、点灯制御回路22、判定回路36、リレー43および遅延回路41を備える。第１の絶縁トランス17は、定電流電源装置に入力側が接続される。第２の絶縁トランス18は、定電流電源装置に対して第１の絶縁トランス17と直列に入力側が接続される。点灯制御回路22は、第１の絶縁トランス17の出力側に設けられ、標識灯の発光素子14に給電する。判定回路36は、点灯制御回路22を監視し、異常を判定する。リレー43は、判定回路36による異常の判定に応じて第２の絶縁トランス18の出力側を開放する。遅延回路41は、定電流電源装置の電源投入時に、点灯制御回路22が起動して判定回路36が判定可能となるまでの所定時間が経過するまで、第２の絶縁トランス18の出力側を閉成状態に保つようにリレー43を制御する。【選択図】図１
2017142991.tif 000002
【特許請求の範囲】
【請求項１】
定電流電源装置に入力側が接続される第１の可飽和装置と；
前記定電流電源装置に対して前記第１の可飽和装置と直列に入力側が接続される第２の可飽和装置と；
前記第１の可飽和装置の出力側に設けられ、標識灯の発光素子に給電する点灯制御回路と；
前記点灯制御回路を監視し、異常を判定する判定回路と；
前記判定回路による異常の判定に応じて前記第２の可飽和装置の出力側を開放する開放装置と；
前記定電流電源装置の電源投入時に、前記点灯制御回路が起動して前記判定回路が判定可能となるまでの所定時間が経過するまで、前記第２の可飽和装置の出力側を閉成状態に保つように前記開放装置を制御する遅延回路と；
を具備することを特徴とする標識灯点灯装置。
【請求項２】
前記開放装置は、前記遅延回路による所定時間が経過するまでに前記判定回路が正常と判定していると、前記遅延回路による所定時間が経過したときに前記第２の可飽和装置の出力側を閉成状態に保ち、かつ、前記遅延回路による所定時間が経過するまでに前記判定回路が異常と判定していると、前記遅延回路による所定時間が経過したときに前記第２の可飽和装置の出力側を開放する
ことを特徴とする請求項１記載の標識灯点灯装置。
【請求項３】
定電流電源を出力するとともにこの出力の変化から異常を検知する定電流電源装置と；
この定電流電源装置に前記第１の可飽和装置および前記第２の可飽和装置がそれぞれ直列に接続された請求項１または２記載の標識灯点灯装置と；
この標識灯点灯装置の前記点灯制御回路に接続された発光素子を有する標識灯と；
を具備することを特徴とする標識灯システム。
【発明の詳細な説明】
【技術分野】
【０００１】
本発明の実施形態は、標識灯の発光素子を点灯させる標識灯点灯装置、およびこの標識灯点灯装置を備えた標識灯システムに関する。
【背景技術】
【０００２】
従来、例えば空港の滑走路や誘導路などに設置された複数の標識灯を点灯制御する標識灯システムでは、定電流電源装置の出力側に複数の可飽和形の絶縁トランスが接続され、これら絶縁トランスを介して複数の標識灯がそれぞれ接続されている。標識灯の光源が電球である場合には、定電流電源装置からの交流定電流電源が絶縁トランスを介して電球に供給され、電球が点灯する。また、標識灯の電球が断心した場合には、絶縁トランスの二次側が開放されて、絶縁トランスが飽和することで、他の標識灯に給電可能としている。さらに、標識灯の電球が断心した場合には、絶縁トランスが飽和する過程や飽和状態で、定電流電源装置の出力波形などの出力が変化するため、定電流電源装置で出力の変化を検知することによって標識灯の電球の断心を把握することが可能となっている。
【０００３】
一方、近時、標識灯の光源として、電球に代えて長寿命、低消費電力などの観点からＬＥＤなどの発光素子が用いられるようになってきている。発光素子を光源とする場合、点灯制御回路を用いる必要があり、発光素子の開放の他に、発光素子の短絡や点灯制御回路の故障が発生し得る。そのため、光源が発光素子の場合、発光素子の開放、短絡、点灯制御回路の故障などが生じても、電球の場合のように絶縁トランスの二次側が開放状態にはなり難く、定電流電源装置で標識灯の異常の検知が困難になる。
【０００４】
そこで、発光素子の開放や短絡に伴う点灯制御回路の異常を判定回路によって判定し、異常の判定時には、絶縁トランスの二次側を強制的に開放し、定電流電源装置に報知するようにしたものがある。これにより、光源が発光素子の場合でも、定電流電源装置で標識灯の異常の検知が可能となる。
【０００５】
しかし、この場合、定電流電源装置の電源投入時においては、点灯制御回路や判定回路が起動して、点灯制御回路による点灯動作や判定回路による判定が安定するまでに時間を要し、その安定に要するまでの間に、絶縁トランスの二次側を開放し、定電流電源装置に誤報知してしまう虞がある。
【先行技術文献】
【特許文献】
【０００６】
【特許文献１】特開２０１４−１８２８８３号公報
【発明の概要】
【発明が解決しようとする課題】
【０００７】
本発明が解決しようとする課題は、定電流電源装置の電源投入時に、誤報知するのを防止できる標識灯点灯装置および標識灯システムを提供することである。
【課題を解決するための手段】
【０００８】
実施形態の標識灯点灯装置は、第１の可飽和装置、第２の可飽和装置、点灯制御回路、判定回路、開放装置および遅延回路を備える。第１の可飽和装置は、定電流電源装置に入力側が接続される。第２の可飽和装置は、定電流電源装置に対して第１の可飽和装置と直列に入力側が接続される。点灯制御回路は、第１の可飽和装置の出力側に設けられ、標識灯の発光素子に給電する。判定回路は、点灯制御回路を監視し、異常を判定する。開放装置は、判定回路による異常の判定に応じて第２の可飽和装置の出力側を開放する。遅延回路は、定電流電源装置の電源投入時に、点灯制御回路が起動して判定回路が判定可能となるまでの所定時間が経過するまで、第２の可飽和装置の出力側を閉成状態に保つように開放装置を制御する。
【発明の効果】
【０００９】
本発明によれば、定電流電源装置の電源投入時に、標識灯点灯装置が誤報知するのを防止することが期待できる。
【図面の簡単な説明】
【００１０】
【図１】一実施形態を示す標識灯点灯装置の回路図である。
【図２】同上標識灯点灯装置を用いた標識灯システムの回路図である。
【発明を実施するための形態】
【００１１】
以下、一実施形態を、図１および図２を参照して説明する。
【００１２】
図２に示すように、標識灯システム10は、例えば航空標識灯システムである。標識灯システム10は、交流の定電流電源を出力する定電流電源装置（ＣＣＲ）11、この定電流電源装置11の出力側に接続される標識灯点灯装置12、およびこの標識灯点灯装置12の出力側に接続される標識灯13を備えている。標識灯13は、光源としてＬＥＤなどの発光素子14を用いている。標識灯13は、路面に埋め込み設置される埋込形、および地上に設置される地上形のいずれでもよい。
【００１３】
本実施形態では、標識灯点灯装置12が標識灯13の灯体の外部に別置きされ、１つの標識灯点灯装置12の出力側に複数の標識灯13が直列に接続されている。また、図示を省略しているが、定電流電源装置11の出力側には複数の標識灯点灯装置12が直列に接続され、各標識灯点灯装置12に複数の標識灯13が直列に接続されている。
【００１４】
そして、定電流電源装置11は、例えばサイリスタなどの制御素子の位相制御により、複数の調光段階に対応した複数段階（例えば６．６Ａ〜２．８Ａの間の５段階）の定電流電源を出力可能となっている。さらに、定電流電源装置11は、この定電流電源装置11の出力ラインに接続されるゴム被覆絶縁トランス（可飽和装置）の二次側が開放（電球式標識灯の電球が断心）した際の出力波形（電圧波形または電流波形）などの出力の変化を監視している。
【００１５】
また、標識灯点灯装置12は、定電流電源装置11の出力ラインに直列に接続されるゴム被覆絶縁トランスなどの第１の可飽和装置としての第１の絶縁トランス17および第２の可飽和装置としての第２の絶縁トランス18、およびこれら絶縁トランス17，18の出力側に接続された点灯ユニット19を備えている。
【００１６】
絶縁トランス17，18は、入力側である一次側が定電流電源装置11の出力ラインに直列に接続されている。第２の絶縁トランス18は第１の絶縁トランス17と比較して同等か、より大容量とされている。なお、可飽和装置としては、ゴム被覆絶縁トランスに限らず、非絶縁形のトランス、所定電圧値以上の電圧を印加されて導通するように構成された半導体装置などであってもよい。また、所定値以上の電圧値が印加されることにより低インピーダンス状態（実質的に零を含む）で導通するものを可飽和装置と定義する。
【００１７】
また、点灯ユニット19は、第１の絶縁トランス17の出力側である二次側に接続された点灯制御回路22および報知回路23を備えているとともに、第２の絶縁トランス18の出力側である二次側に接続された開放回路24を備えている。
【００１８】
図１に示すように、点灯制御回路22は、主回路27、およびこの主回路27および報知回路23を制御する制御回路28を備えている。
【００１９】
主回路27は、一対の入力端が第１の絶縁トランス17の出力側に接続された整流器REC11、この整流器REC11の一対の出力端に接続された例えば電界効果形トランジスタ（ＭＯＳＦＥＴ）などのスイッチング素子Q11、このスイッチング素子Q11の出力側に接続された逆流防止用のダイオードD11および平滑コンデンサC11、この平滑コンデンサC11の出力側に発光素子14とともに直列に接続された例えば電界効果形トランジスタ（ＭＯＳＦＥＴ）などのスイッチング素子Q12を備えている。平滑コンデンサC11の正極側と発光素子14との間に、発光素子14に出力される出力電圧（Ｖｐ）を検出する電圧検出回路29が接続されている。発光素子14とスイッチング素子Q12との間に、発光素子14に流れる電流（ＩＬ）を検出する点灯電流検出回路30が接続されている。そして、電圧検出回路29および点灯電流検出回路30の検出信号は制御回路28（制御部33）にそれぞれ送られ、制御回路28（制御部33）によってスイッチング素子Q11，Q12がそれぞれ制御される。
【００２０】
制御回路28は、それぞれ一次側が整流器REC11とともに第１の絶縁トランス17の出力側に直列に接続されるカレントトランスCT21，CT22を備えている。カレントトランスCT21の二次側に整流器REC21の一対の入力端が接続され、この整流器REC21の一対の出力端に例えば電界効果形トランジスタ（ＭＯＳＦＥＴ）などのスイッチング素子Q21が接続され、このスイッチング素子Q21の出力側に逆流防止用のダイオードD21および平滑コンデンサC21が接続されており、この平滑コンデンサC21の出力側から所定の制御電源が制御部（ＣＰＵ）33に供給される。カレントトランスCT22の二次側に定電流電源装置11から供給される定電流電源の電流値を検出する電流検出回路34が接続され、この電流検出回路34からの検出信号が制御部33に入力される。
【００２１】
制御部33は、電流検出回路34で検出される定電流電源装置11からの定電流電源の電流値に基づき、ＰＷＭ回路35を介してスイッチング素子Q11，Q12，Q21の導通をそれぞれパルス幅制御する。すなわち、制御部33は、電流検出回路34で検出される定電流電源装置11からの定電流電源の電流値に基づき、発光素子14への出力電圧を定電圧化するように、電圧検出回路29で検出される出力電圧に応じてスイッチング素子Q11の導通をパルス幅制御するとともに、発光素子14の光出力が定電流電源の電流値に応じた調光段階の光出力となるように、点灯電流検出回路30で検出される電流値に応じてスイッチング素子Q12の導通をパルス幅制御し、さらに、所定の制御電源が得られるように、スイッチング素子Q21の導通をパルス幅制御する。
【００２２】
制御回路28は、点灯制御回路22を監視し、正常か異常かを判定する判定回路36、およびこの判定回路36による判定結果に応じてオン・オフされる例えば電界効果形トランジスタ（ＭＯＳＦＥＴ）などのスイッチング素子Q22を備えている。判定回路36は、電圧検出回路29で検出される電圧の検出値や点灯電流検出回路30で検出される電流の検出値を監視し、これら検出値を所定の基準値と比較し、正常か異常かを判定する。この異常には、発光素子14の開放および短絡、あるいは回路の故障などが含まれる。スイッチング素子Q22は、ソース電極が制御回路28の負極側に接続され、ドレイン電極が報知回路23に接続され、ゲート電極が判定回路36に接続されている。そして、スイッチング素子Q22は、判定回路36が正常と判定してオン信号が出力されると、そのオン信号がゲート電極に入力されてオンし、判定回路36が異常と判定してオン信号の出力が停止されると、ゲート電極へのオン信号の入力が解除されてオフする。
【００２３】
また、報知回路23は、一次側が整流器REC11およびカレントトランスCT21，CT22とともに第１の絶縁トランス17の二次側に接続されたカレントトランスCT31、このカレントトランスCT31の二次側に一対の入力端が接続された整流器REC31、この整流器REC31の一対の出力端に接続された例えば電界効果形トランジスタ（ＭＯＳＦＥＴ）などのスイッチング素子Q31、このスイッチング素子Q31の出力側に接続された逆流防止用のダイオードD31および平滑コンデンサC31を備えている。平滑コンデンサC31の出力側から所定の制御電源が制御部39および基準電圧回路40に供給される。制御部39は、所定の制御電源が得られるようにスイッチング素子Q31の導通をパルス幅制御する。
【００２４】
基準電圧回路40によって所定の基準電圧が生成され、この基準電圧が遅延回路41および開放動作回路42に供給される。
【００２５】
遅延回路41は、基準電圧回路40にスイッチSW31を介してコンデンサC32およびダイオードD32の直列回路が接続され、コンデンサC32とダイオードD32のカソードとの間に抵抗R32を介してスイッチング素子としてのトランジスタQ32のベースが接続されている。トランジスタQ32のコレクタが開放動作回路42側に接続され、エミッタが基準電圧回路40の負極側に接続されている。また、スイッチSW31は、定電流電源のオン時にコンデンサC32を基準電圧回路40に接続し、定電流電源のオフ時にコンデンサC32を放電回路に接続するように切り換わる。放電回路は、基準電圧回路40の負極側に接続された抵抗R31を備えている。そして、コンデンサC32と抵抗R32とで、定電流電源装置11の電源投入時にトランジスタQ32の動作を遅延制御するための時定数回路が構成されている。
【００２６】
開放動作回路42は、基準電圧回路40の両端間に開放装置としてのリレー43のコイル部43a、および例えば電界効果形トランジスタ（ＭＯＳＦＥＴ）などのスイッチング素子Q33が直列に接続されている。コイル部43aの両端には、サージ吸収用のダイオードD33が接続されている。基準電圧回路40の両端間に抵抗R33および抵抗R34が直列に接続され、これら抵抗R33と抵抗R34との間がスイッチング素子Q33のゲートに接続されている。抵抗R34の両端にコンデンサC33が接続されている。
【００２７】
抵抗R33と抵抗R34との間には、遅延回路41のトランジスタQ32のコレクタが接続されているとともに、制御回路28のスイッチング素子Q22のドレイン電極が接続されている。
【００２８】
また、開放回路24は、第２の絶縁トランス18の二次側に直列に接続されたリレー43の接点部43bを有している。リレー43の接点部43bは、いわゆるＢ接点と呼ばれる常閉接点であり、リレー43の非動作時に閉成し、リレー43のコイル部43aに通電されたリレー43の動作時に開放するように構成されている。
【００２９】
リレー43の接点部43bと並列にブレーカ46のコイル部46aが接続され、第２の絶縁トランス18の二次側とコイル部46aとの間にブレーカ46の接点部46bが接続されている。ブレーカ46の接点部46bは、機械式で、常時は第２の絶縁トランス18の二次側を閉成しており、コイル部46aに印可される電圧が所定値以上に高くなると、第２の絶縁トランス18の二次側を開放するように機械的に切り換わるとともに、ブレーカ46のコイル部46aに通電されなくなっても開放状態を維持する。
【００３０】
次に、標識灯システム10の動作を説明する。
【００３１】
定電流電源装置11の電源投入時には、所定の調光段階に応じた電流値の定電流電源が標識灯点灯装置12の絶縁トランス17，18の一次側にそれぞれ供給される。
【００３２】
第１の絶縁トランス17を介して、定電流電源装置11からの定電流電源が、点灯制御回路22の主回路27および制御回路28のそれぞれに供給されるとともに、報知回路23に供給され、これら主回路27、制御回路28および報知回路23がそれぞれ起動する。
【００３３】
制御回路28では、起動した制御部33により、電流検出回路34で検出される定電流電源装置11からの定電流電源の電流値に基づき、ＰＷＭ回路35を介して主回路27のスイッチング素子Q11，Q12の導通をそれぞれパルス幅制御する。すなわち、制御部33は、電流検出回路34で検出される定電流電源装置11からの定電流電源の電流値に基づき、発光素子14への出力電圧を定電圧化するように、電圧検出回路29で検出される出力電圧に応じてスイッチング素子Q11の導通をパルス幅制御するとともに、発光素子14の光出力が定電流電源の電流値に応じた調光段階の光出力となるように、点灯電流検出回路30で検出される電流値に応じてスイッチング素子Q12の導通をパルス幅制御する。
【００３４】
主回路27では、スイッチング素子Q11によって調整された出力電圧がスイッチング素子Q12を介して発光素子14に供給され、スイッチング素子Q12の動作によって発光素子14が所定の調光段階の光出力で点灯する。
【００３５】
制御回路28の判定回路36は、主回路27および制御回路28が起動してその動作が安定するまでは正確に安定した判定ができないため、電源投入時にはスイッチング素子Q22のゲート電極に対してオン信号が出力されず、スイッチング素子Q22がオフされている。したがって、判定回路36は、主回路27および制御回路28が起動して正確に安定した判定ができるようになるのに、所定の起動時間を要する。この起動時間は、例えば１〜３秒程度である。
【００３６】
起動時間が経過した後、判定回路36が正常と判定すれば、判定回路36からスイッチング素子Q22のゲート電極にオン信号が出力されて、スイッチング素子Q22がオンし、また、判定回路36が異常と判定すれば、判定回路36からスイッチング素子Q22のゲート電極にオン信号が出力されず、スイッチング素子Q22がオフ状態に保たれる。
【００３７】
一方、報知回路23では、電源投入時に、スイッチSW31が遅延回路41側（コンデンサC32側）に接続され、基準電圧回路40からスイッチSW31、コンデンサC32および抵抗R32を通じてトランジスタQ32のベースにオン信号が入力され、トランジスタQ32がオンする。トランジスタQ32がオンすることにより、抵抗R33と抵抗R34との間が基準電圧回路40の負極側に接続され、スイッチング素子Q33のゲート電極にオン信号が入力されず、スイッチング素子Q33はオフ状態に保たれる。これにより、リレー43のコイル部43aには通電されず、リレー43の接点部43bは閉成状態に保たれる。
【００３８】
そのため、電源投入時に、第２の絶縁トランス18の二次側では、リレー43の接点部43bが閉成されているため、第２の絶縁トランス18の一次側に流れる定電流電源装置11の出力波形などの出力に変化を生じさせることがなく、定電流電源装置11で異常と誤検知してしまうことがない。
【００３９】
遅延回路41は、電源投入時から所定の遅延時間が経過すると、コンデンサC32が飽和し、トランジスタQ32のベースへのオン信号の出力が停止される。この遅延時間は、主回路27および制御回路28が起動して判定回路36で正確に安定して判定できるようになる起動時間よりも長い時間に設定されている。この遅延時間は、例えば３〜５秒程度である。
【００４０】
遅延時間が経過すると、遅延回路41からトランジスタQ32のベースへのオン信号の出力が停止され、トランジスタQ32がオフする。
【００４１】
遅延時間が経過したとき、既に、正確に安定して判定可能な状態となっている判定回路36が正常と判定していれば、判定回路36からスイッチング素子Q22にオン信号が出力されて、スイッチング素子Q22がオンされている。そのため、トランジスタQ32がオフしても、抵抗R33と抵抗R34との間がスイッチング素子Q22を介して制御回路28の負極側に接続され、スイッチング素子Q33のゲート電極にオン信号が入力されず、スイッチング素子Q33はオフ状態に保たれる。これにより、リレー43のコイル部43aには通電されず、リレー43の接点部43bは閉成状態に保たれる。
【００４２】
そのため、遅延時間の経過後も、第２の絶縁トランス18の二次側では、リレー43の接点部43bが閉成されているため、第２の絶縁トランス18の一次側に流れる定電流電源装置11の出力波形などの出力に変化が生じることがない。そして、定電流電源装置11では、標識灯点灯装置12や発光素子14に異常がないことが検知される。
【００４３】
また、遅延時間が経過したとき、既に、正確に安定して判定可能な状態となっている判定回路36が異常と判定していれば、判定回路36からスイッチング素子Q22のゲート電極にオン信号が出力されず、スイッチング素子Q22はオフされている。そのため、抵抗R33と抵抗R34との間からスイッチング素子Q33のゲート電極にオン信号が入力され、スイッチング素子Q33がオンする。これにより、リレー43のコイル部43aに通電され、リレー43の接点部43bが開放される。
【００４４】
リレー43の接点部43bが開放されて、第２の絶縁トランス18の二次側が開放されると、第２の絶縁トランス18の二次側の電圧が上昇し、この電圧がブレーカ46のコイル部46aに印加されて接点部43bが機械的に開放され、第２の絶縁トランス18の二次側が開放状態に保持される。
【００４５】
第２の絶縁トランス18の二次側が開放されると、第２の絶縁トランス18の一次側に流れる定電流電源装置11の出力波形などの出力に変化が生じ、定電流電源装置11では標識灯点灯装置12や発光素子14に異常があることを検知できる。
【００４６】
また、定電流電源装置11からの定電流電源の供給中において、正常と判定していた判定回路36の判定が異常に切り換わると、判定回路36からスイッチング素子Q22のゲート電極へのオン信号の出力が停止され、スイッチング素子Q22がオフするため、スイッチング素子Q33がオンし、リレー43の接点部43bが開放されることにより、上述したように定電流電源装置11に異常が報知される。
【００４７】
また、定電流電源装置11からの定電流電源の供給が停止されると、スイッチSW31が抵抗R31を有する放電回路側に切り換わり、コンデンサC32に蓄えられた電荷が放電される。これにより、定電流電源装置11の次回の電源投入時に、遅延回路41を機能させることができる。
【００４８】
そして、本実施形態の標識灯点灯装置12によれば、定電流電源装置11の電源投入時に、点灯制御回路22が起動して判定回路36が判定可能となるまでの所定の起動時間が経過するまで、遅延回路41によって第２の絶縁トランス18の二次側を閉成状態に保つため、判定回路36で正確に安定して判定できるようになる前に、誤報知してしまうのを防止できる。
【００４９】
また、リレー43は、遅延回路41による所定の遅延時間が経過するまでに判定回路36が正常と判定していると、遅延回路41による所定の遅延時間が経過したときに第２の絶縁トランス18の二次側を閉成状態に保ち、かつ、遅延回路41による所定の遅延時間が経過するまでに判定回路36が異常と判定していると、遅延回路41による所定の遅延時間が経過したときに第２の絶縁トランス18の二次側を開放するため、遅延回路41による所定の遅延時間が経過したときに、既に正確に安定して判定できるようになっている判定回路36による判定結果に応じて正確に動作することができる。
【００５０】
また、点灯制御回路22が接続される第１の絶縁トランス17とは別に、開放回路24が接続される第２の絶縁トランス18を設けているため、第１の絶縁トランス17を通じて点灯制御回路22や発光素子14への給電を継続しながら、開放回路24で第２の絶縁トランス18の二次側を開放し、定電流電源装置11に異常を報知することができる。
【００５１】
さらに、制御回路28の電源部とは別に、報知回路23が電源部を備えているため、制御回路28の電源部に不具合が生じた場合でも、報知回路23によって第２の絶縁トランス18の二次側を開放し、定電流電源装置11に異常を報知することができる。
【００５２】
また、リレー43の接点部43bが開放されて、第２の絶縁トランス18の二次側が開放されると、第２の絶縁トランス18の二次側の電圧が上昇するが、この場合、ブレーカ46の接点部43bが機械的に開放されるため、リレー43を高電圧から保護することができる。
【００５３】
なお、標識灯点灯装置12の点灯ユニット19は、標識灯13の灯体に内蔵していてもよい。
【００５４】
本発明のいくつかの実施形態を説明したが、これらの実施形態は、例として提示したものであり、発明の範囲を限定することは意図していない。これら新規な実施形態は、その他の様々な形態で実施されることが可能であり、発明の要旨を逸脱しない範囲で、種々の省略、置き換え、変更を行うことができる。これら実施形態やその変形は、発明の範囲や要旨に含まれるとともに、特許請求の範囲に記載された発明とその均等の範囲に含まれる。
【符号の説明】
【００５５】
10    標識灯システム
11    定電流電源装置
12    標識灯点灯装置
13    標識灯
14    発光素子
17    第１の可飽和装置としての第１の絶縁トランス
18    第２の可飽和装置としての第２の絶縁トランス
22    点灯制御回路
36    判定回路
41    遅延回路
43    開放装置としてのリレー
【図１】
2017142991.tif 000003
【図２】
2017142991.tif 000004